(57)【要約】【課題】操作性に優れた電子機器を提供すること。【解決手段】複数の面を有する筐体と、前記筐体に収容され、前記筐体の外部を撮像する撮像モジュールと、を備え、前記撮像モジュールは、撮像レンズと、前記撮像レンズを介して被写体を撮像するイメージセンサと加速度を検出し、少なくとも１つの検出軸が前記撮像レンズの光軸に一致するように配置されている加速度検出部と、前記加速度検出部による検出結果に基づいて前記イメージセンサで撮像された画像データを補正する補正部とを有する。【選択図】図１
2013232722.tif 000002
【特許請求の範囲】
【請求項１】
複数の面を有する筐体と、
前記筐体に収容され、前記筐体の外部を撮像する撮像モジュールと、
を備え、
前記撮像モジュールは、
撮像レンズと、
前記撮像レンズを介して被写体を撮像するイメージセンサと、
加速度を検出し、少なくとも１つの検出軸が前記撮像レンズの光軸に一致するように配置されている加速度検出部と、
前記加速度検出部による検出結果に基づいて前記イメージセンサで撮像された画像データを補正する補正部と
を有する電子機器。
【請求項２】
前記補正部は、手振れ補正を行う
請求項１に記載の電子機器。
【請求項３】
前記イメージセンサは、基板の第一面に配置されており、
前記加速度検出部は、前記基板のうち前記第一面とは反対側の第二面に配置されている
請求項１又は２に記載の電子機器。
【請求項４】
前記イメージセンサ、前記加速度検出部及び前記補正部は、同一の基板に設けられている
請求項１から請求項３のうちのいずれか一項に記載の電子機器。
【請求項５】
前記加速度検出部及び前記補正部は、同一のチップに形成されている
請求項１から請求項４のうちのいずれか一項に記載の電子機器。
【請求項６】
前記イメージセンサ及び前記加速度検出部は、駆動電圧が等しくなるように形成されている
請求項１から請求項５のうちいずれか一項に記載の電子機器。
【請求項７】
前記加速度検出部は、互いに交差する３つの方向についての前記加速度を検出可能である
請求項１から請求項６のうちいずれか一項に記載の電子機器。
【請求項８】
角速度を検出し、少なくとも１つの検出方向が前記撮像レンズの光軸回りの方向に一致するように配置されている角速度検出部を更に備える
請求項１から請求項７のうちいずれか一項に記載の電子機器。
【請求項９】
前記角速度検出部は、互いに交差する３つの軸の周囲の方向についての前記角速度を検出可能である
請求項８に記載の電子機器。
【請求項１０】
前記筐体のうち前記一の面とは異なる面に設けられた表示部を更に備える
請求項１から請求項９のうちいずれか一項に記載の電子機器。
【請求項１１】
撮像レンズと、
前記撮像レンズを介して被写体を撮像するイメージセンサと、
加速度を検出し、少なくとも１つの検出軸が前記撮像レンズの光軸に一致するように配置されている加速度検出部と、
前記加速度検出部による検出結果に基づいて前記イメージセンサで撮像された画像データを補正する補正部と
を有する撮像モジュール。
【請求項１２】
前記補正部は、手振れ補正を行う
請求項１１に記載の撮像モジュール。
【請求項１３】
前記イメージセンサは、基板の第一面に配置されており、
前記加速度検出部は、前記基板のうち前記第一面とは反対側の第二面に配置されている
請求項１１又は請求項１２に記載の撮像モジュール。
【請求項１４】
前記イメージセンサ、前記加速度検出部及び前記補正部は、同一の基板に設けられている
請求項１１から請求項１３のうちのいずれか一項に記載の撮像モジュール。
【請求項１５】
前記加速度検出部及び前記補正部は、同一のチップに形成されている
請求項１１から請求項１４のうちのいずれか一項に記載の撮像モジュール。
【請求項１６】
前記イメージセンサ及び前記加速度検出部は、駆動電圧が等しくなるように形成されている
請求項１１から請求項１５のうちいずれか一項に記載の撮像モジュール。
【請求項１７】
前記加速度検出部は、互いに交差する３つの方向についての前記加速度を検出可能である
請求項１１から請求項１６のうちいずれか一項に記載の電子機器。
【請求項１８】
角速度を検出し、少なくとも１つの検出方向が前記撮像レンズの光軸回りの方向に一致するように配置されている角速度検出部を更に備える
請求項１１から請求項１７のうちいずれか一項に記載の電子機器。
【請求項１９】
前記角速度検出部は、互いに交差する３つの軸の周囲の方向についての前記角速度を検出可能である
請求項１８に記載の電子機器。
【発明の詳細な説明】
【技術分野】
【０００１】
本発明は、電子機器および撮像モジュールに関する。
【背景技術】
【０００２】
携帯電話や携帯情報端末などの電子機器として、例えば特許文献１が知られている。特許文献１に示すような電子機器においては、操作部分にボタンを設けた構成が知られている。このような電子機器において、例えば板状に設けられた筐体の一の面に表示部が設けられており、当該一の面のうち表示部の周囲の領域や筐体の側部などに操作ボタンが設けられた構成が知られている。
【先行技術文献】
【特許文献】
【０００３】
【特許文献１】特開２０１０−８６０８９号公報
【発明の概要】
【発明が解決しようとする課題】
【０００４】
しかしながら、筐体に操作ボタンを配置する構成においては、筐体における操作ボタンの位置が固定されるため、例えば筐体を回転させて用いる場合などにおいては、操作しにくいという問題がある。
【０００５】
以上のような事情に鑑み、本発明は、操作性に優れた電子機器および前記電子機器に用いられる撮像モジュールを提供することを目的とする。
【課題を解決するための手段】
【０００６】
本発明の第一の態様に従えば、複数の面を有する筐体と、前記筐体に収容され、前記筐体の外部を撮像する撮像モジュールと、を備え、前記撮像モジュールは、撮像レンズと、前記撮像レンズを介して被写体を撮像するイメージセンサと加速度を検出し、少なくとも１つの検出軸が前記撮像レンズの光軸に一致するように配置されている加速度検出部と、前記加速度検出部による検出結果に基づいて前記イメージセンサで撮像された画像データを補正する補正部とを有する電子機器が提供される。
【０００７】
本発明の第二の態様に従えば、撮像レンズと、前記撮像レンズを介して被写体を撮像するイメージセンサと、加速度を検出し、少なくとも１つの検出軸が前記撮像レンズの光軸に一致するように配置されている加速度検出部と、前記加速度検出部による検出結果に基づいて前記イメージセンサで撮像された画像データを補正する補正部とを有する撮像モジュールが提供される。
【発明の効果】
【０００８】
本発明の態様によれば、操作性に優れた電子機器を提供することができる。
【図面の簡単な説明】
【０００９】
【図１】本発明の実施の形態に係る携帯情報端末の構成を示す斜視図である。
【図２】本実施形態に係る携帯情報端末の一部の構成を示す側面図である。
【図３】本実施形態に係る携帯情報端末の一部の構成を示す断面図である。
【図４】本実施形態に係る携帯情報端末のカメラモジュールの構成を示す断面図である。
【図５】本実施形態に係る携帯情報端末の動作の一形態を示す図である。
【図６】本実施形態に係る携帯情報端末の動作の一形態を示す図である。
【発明を実施するための形態】
【００１０】
以下、図面を参照しながら本発明の一実施形態について詳しく説明する。  
図１は、本実施形態に係る携帯情報端末ＥＱＰの構成を示す斜視図である。  
図１に示すように、携帯情報端末（電子機器）ＥＱＰは、制御装置ＣＯＮＴと、表示部ＤＰと、基板ＢＰと、カメラモジュールＣＭと、充電池ＢＴと、操作部ＳＤと、接続部ＭＴと、マイクＭＣと、スピーカＳＰと、振動部ＡＴと、第一接続部ＭＳとを有しており、これらは筐体ＦＬに収容されている。筐体ＦＬは、例えば矩形の板状に形成されている。
【００１１】
制御装置ＣＯＮＴと、表示部ＤＰと、基板ＢＰと、カメラモジュールＣＭと、充電池ＢＴと、操作部ＳＤと、接続部ＭＴと、マイクＭＣと、スピーカＳＰと、複数の振動部ＡＴと、第一接続部ＭＳとは、電気的に接続されている。また、これらの回路は、第二接続部ＭＴの電気接点部を介して、外部機器が電気的に接続可能である。
【００１２】
表示部ＤＰは、矩形に形成されており、筐体ＦＬのうち板面に設けられている。筐体ＦＬのうち当該表示部ＤＰが設けられる面を、以下表示面Ｆｅと表記する。表示部ＤＰは、例えば液晶装置や有機ＥＬ装置などを有する表示パネルを有している。表示パネルの表示領域には、タッチパネルが設けられている。この表示領域は矩形である。タッチパネルは、表示領域に対する接触の有無及び接触位置を検出する。図示するように、表示面Ｆｅと表示パネルの表示領域はほぼ等しい。また、表示面Ｆｅには、表示部ＤＰのみが設けられている。
【００１３】
操作部ＳＤは、筐体ＦＬのうち表示面Ｆｅを囲む４辺に相当する４つの側面Ｆａ〜Ｆｄに設けられている。操作部ＳＤは、側面Ｆａに設けられた側部検出部ＳＤ１、側面Ｆｂに設けられた側部検出部ＳＤ２、側面Ｆｃに設けられた側部検出部ＳＤ３及び側面Ｆｄに設けられた側部検出部ＳＤ４を有している。操作部ＳＤは、側部検出部ＳＤ１〜ＳＤ４において外部からの（例えばユーザの）接触の有無及び接触位置を検出する。
【００１４】
図２は、携帯情報端末ＥＱＰを表示面Ｆｅ側から見たときの図であり、側部検出部ＳＤ１〜ＳＤ４を断面で示している。  
図２に示すように、各側部検出部ＳＤ１〜ＳＤ４は、矩形に形成された表示部ＤＰの各辺の位置に配置されると共に、表示部ＤＰの寸法に対応する寸法に形成されている。
【００１５】
具体的には、側部検出部ＳＤ１〜ＳＤ４の検出領域２０は、表示部ＤＰの一辺に対応する位置に配置されている。また、側部検出部ＳＤ１〜ＳＤ４の検出領域２０の長手方向の寸法は、表示部ＤＰの一辺の寸法に等しくなっている。
【００１６】
例えば、ユーザの指などが側部検出部ＳＤ２の検出領域の一部分に接触すると、側部検出部ＳＤ２の静電容量が変化するようになっている。また、一部分に接触していたユーザの指などの接触状態が解除されると、側部検出部ＳＤ２静電容量が元の状態に戻るようになっている。
【００１７】
このように、側部検出部ＳＤ２では、接触部分の静電容量が局所的に変化するように構成されている。このような静電容量の変化は、制御装置ＣＯＮＴに送信される。制御装置ＣＯＮＴでは、当該静電容量の変化を検出することにより、外部からの接触の有無及び接触位置を算出可能である。なお、例えばユーザが検出領域に沿って接触部分を移動させる場合、静電容量の変化する位置が接触部分の移動に伴って移動する。制御装置ＣＯＮＴでは、この静電容量の変化する位置の移動（移動方向、移動距離及び移動速度）についても検出可能である。他の側部検出部ＳＤ１、ＳＤ３及びＳＤ４についても同様である。
【００１８】
基板ＢＰは、筐体ＦＬ内に設けられる。基板ＢＰには、制御装置ＣＯＮＴと、例えばＷｉＦｉ（Wireless Fidelity）等により無線通信を行う無線通信部と、加速度センサやジャイロ（角速度センサ）、ＧＰＳ(Global Positioning System)等の各種センサとが設置されている。制御装置ＣＯＮＴは、メモリとＣＰＵ（中央演算装置）を備え、携帯情報端末ＥＱＰを統括して制御する。
【００１９】
振動部ＡＴは、筐体ＦＬに対して振動を伝達する振動源である。振動部ＡＴは、複数（本実施形態では４つ）の振動素子ＡＴ１〜ＡＴ４を有している。振動素子ＡＴ１〜ＡＴ４は、筐体ＦＬの４つの辺に１つずつ設けられている。各振動素子ＡＴ１〜ＡＴ４は、規定の周波数（共振周波数）を持つリニア振動アクチュエータである。振動部ＡＴは、制御装置ＣＯＮＴによってその動作が制御されるようになっている。充電池ＢＴは、各部に電力を供給する。充電池ＢＴは、筐体ＦＬ内に設けられ、必要によっては筐体ＦＬから取り外し可能にすることもできる。
【００２０】
第二接続部ＭＴは、背面Ｆｆのほぼ中心部に設けられ、外部機器を機械的又は電気的に接続する。第二接続部ＭＴは、電気接点部を備えるバヨネット式のマウントであり、筐体ＦＬと外部機器とを締結する。外部機器は、例えば、レンズとイメージセンサを備えたカメラモジュールやメモリ等を備えたイーゼル、スピーカユニット、ハードディスク、楽器等である。第二接続部ＭＴに外部機器が装着されると、外部機器の電気接点部と第二接続部ＭＴの電気接点部とが接触し、外部機器が携帯情報端末ＥＱＰの各部と電気的に接続する。第一接続部ＭＳは、メモリカード（外部メモリ）等を電気的に接続させるＵＳＢ（Universal Serial Bus）端子等のインタフェースである。
【００２１】
カメラモジュールＣＭは、被写体を撮像し画像データを生成する。カメラモジュールＣＭは、筐体ＦＬの底部Ｆｉに収容されている。
【００２２】
図３は、携帯情報端末ＥＱＰの背面図である。携帯情報端末ＥＱＰの背面Ｆｆには、第一接続部ＭＳが設けられており、第二接続部ＭＴの一部及びカメラモジュールＣＭの一部がそれぞれ露出している。また、携帯情報端末ＥＱＰの背面Ｆｆには、マイクＭＣ及びスピーカＳＰが設けられている。
【００２３】
図４は、カメラモジュールＣＭの構成を示す断面図である。  
図４に示すように、カメラモジュールＣＭは、レンズ６１、赤外線フィルター６２及び基板６３を有している。これらレンズ６１、赤外線フィルター６２及び基板６３は、パッケージＰＫによって一体的に設けられている。
【００２４】
レンズ６１は、パッケージＰＫの開口部Ｐａを塞ぐように配置されている。カメラモジュールＣＭは、当該レンズ６１が筐体ＦＬの背面Ｆｆに形成された開口部Ｆｈに露出するように配置されている。また、カメラモジュールＣＭは、レンズ６１の光軸Ｃが開口部Ｆｈの中央部に位置するように配置されている。
【００２５】
赤外線フィルター６２は、レンズ６１と基板６３との間に配置されている。赤外線フィルター６２は、レンズ６１を介してカメラモジュールＣＭの内部に入射された光に含まれる赤外線を除去する。
【００２６】
基板６３には、イメージセンサ６４、加速度センサ６５及びドライバ６６などが実装されている。このように、イメージセンサ６４、加速度センサ６５及びドライバ６６は、一の基板に設けられていると共に、上記のレンズ６１及び赤外線フィルター６２と共にパッケージＰＫに一体的に設けられている。
【００２７】
また、基板６３には、イメージセンサ６４、加速度センサ６５及びドライバ６６に接続された端子や配線などが形成されている。イメージセンサ６４、加速度センサ６５及びドライバ６６は、当該端子や配線を介して、例えば制御装置ＣＯＮＴに接続されている。イメージセンサ６４、加速度センサ６５及びドライバ６６は、駆動電圧が等しくなるように形成されている。このため、イメージセンサ６４、加速度センサ６５及びドライバ６６を並列に接続することができるようになっている。
【００２８】
イメージセンサ６４は、レンズ６１及び赤外線フィルター６３を介した光を受光して電気信号に変換する。カメラモジュールＣＭは、レンズ６１及び赤外線フィルター６２を介した光がイメージセンサ６４によって受光されることで、撮像が行われるようになっている。
【００２９】
イメージセンサ６４は、基板６３のうちレンズ６１側の第一面６３ａに設けられている。イメージセンサ６４としては、例えばＣＭＯＳやＣＣＤなどの素子を用いることができる。イメージセンサ６４によって生成された電気信号は、例えば基板６３上に形成された不図示の端子や配線などを介して、ドライバ６６に送信される。
【００３０】
加速度センサ６５は、筐体ＦＬに作用する外力などを検出し、電気信号に変換する。加速度センサ６５は、基板６３のうち第一面６３ａとは反対側の第二面６３ｂに設けられている。加速度センサ６５としては、例えば半導体チップに形成されたＭＥＭＳ型の加速度センサなどが用いられている。加速度センサ６５によって生成された電気信号は、例えば基板６３上に形成された不図示の端子や配線などを介して、ドライバ６６に送信される。
【００３１】
加速度センサ６５は、例えば基板６３の第二面６３ａに平行であって互いに直交する２方向（Ｘ方向、Ｙ方向）と、当該第二面６３ａに垂直な方向（Ｚ方向）とにそれぞれ検出軸を有している。従って、加速度センサ６５は、Ｘ軸、Ｙ軸及びＺ軸の３軸に検出軸を有する。加速度センサ６５は、これら３つの検出軸のうち少なくとも一の検出軸がレンズ６１の光軸Ｃに一致するように配置されている。本実施形態では、例えば第二面６３ａに垂直な方向の検出軸が光軸Ｃに一致している。加速度センサ６５の検出軸をレンズ６１の光軸Ｃに一致させることで、レンズ６１に対して作用する加速度を精密に検出可能となっている。
【００３２】
ドライバ６６は、イメージセンサ６４及び加速度センサ６５による検出結果を用いてデータの生成や加工などの処理を行うと共に、当該データを例えば制御装置ＣＯＮＴなどに出力する。例えば、ドライバ６６は、イメージセンサ６４から送信された電気信号に基づいて画像データを生成する。また、ドライバ６６は、加速度センサ６５の検出結果を用いて筐体ＦＬの姿勢や変位などに関する筐体関連データを生成する。
【００３３】
また、ドライバ６６は、生成した筐体関連データを用いて、画像データを加工する。例えば、イメージセンサ６４において光を受光したときの加速度センサ６５の検出結果を用いて筐体関連データを生成し、当該筐体関連データを用いて画像データを補正することにより、いわゆる手振れ補正を行うことができる。
【００３４】
なお、本実施形態では、基板６３の第二面６３ｂ側に設けられる加速度センサ６５及びドライバ６６は、それぞれ別個のチップに形成されているが、これに限られることは無く、例えば１つのチップに加速度センサ６５及びドライバ６６が形成された構成であっても構わない。
【００３５】
また、制御装置ＣＯＮＴは、不図示のタイマーに接続されており、時刻に対応した処理が可能となっている。
【００３６】
次に、上記のように構成された携帯情報端末ＥＱＰの動作を説明する。  
携帯情報端末ＥＱＰは、制御装置ＣＯＮＴのメモリや外部メモリ等に記憶された画像データや無線通信部を介して通信された画像データを表示部ＤＰに出力して画像として表示する。また、携帯情報端末ＥＱＰは、同様に制御装置ＣＯＮＴのメモリや外部メモリ等に記憶された音声データをスピーカＳＰから出力する。更に、携帯情報端末ＥＱＰは、外部との間でこれら画像データ及び音声データを含むデータの通信を行う。また、携帯情報端末ＥＱＰは、第二接続部ＭＴに外部機器が接続されると、接続された外部機器に応じた動作をする。また、携帯情報端末ＥＱＰは、通信データの受信やアラーム等のイベントが発生すると振動部ＡＴを振動させる。
【００３７】
［ユーザ操作］  
制御装置ＣＯＮＴは、ユーザの操作に基づいて、画像データや音声データの出力及び通信を行う。携帯情報端末ＥＱＰの筐体ＦＬの姿勢が、例えば図５に示すように、側面Ｆａから側面Ｆｂに向けた方向が重力方向である場合、制御装置ＣＯＮＴは、表示部ＤＰの表示領域３１〜４０において、例えば処理１〜処理１０に対応した識別表示を表示させる。
【００３８】
例えば、制御装置ＣＯＮＴは、表示部ＤＰの４辺のうち図中上側の辺に沿った領域内に４つの単位領域を設定し、これらの単位領域をそれぞれ表示領域３１〜３４として設定する。また、制御装置ＣＯＮＴは、表示領域３１〜３４に対応するように、側部検出部ＳＤ１の検出領域２０に４つの単位領域を設定し、これらの単位領域をそれぞれ接触領域（Ａ１）〜（Ｄ１）とする。
【００３９】
また、制御装置ＣＯＮＴは、表示部ＤＰの４辺のうち図中下側の辺に沿った領域内に２つの単位領域を設定し、これらの単位領域をそれぞれ表示領域３９及び４０として設定する。また、制御装置ＣＯＮＴは、当該２つの表示領域３９及び４０に対応するように、側部検出部ＳＤ１の検出領域２０に４つの単位領域を設定し、これらの単位領域をそれぞれ接触領域（Ｍ１）及び（Ｎ１）とする。
【００４０】
同様に、制御装置ＣＯＮＴは、表示部ＤＰの４辺のうち図中左側の辺及び図中右側の辺に沿った領域内にも、それぞれ表示領域を設定する。なお、表示領域３１は表示部ＤＰの左上角部に設けられており、表示領域３９は表示部ＤＰの左下角部に設けられており、表示領域３４は図中右上角部に設けられており、表示領域４０は図中右下角部に設けられているため、これら表示領域３１、３４、３９及び４０については、２つの接触領域に対して共通の表示領域として設定する。
【００４１】
したがって、図中左側の辺には表示領域３１、３５、３７及び３９が設定されると共に、図中右側の辺には表示領域３４、３６、３８及び４０が設定される。また、制御装置ＣＯＮＴは、側部検出部ＳＤ３の検出領域２０については、表示領域３１、３５、３７及び３９に対応するように４つの単位領域を設定し、これらの単位領域をそれぞれ接触領域（Ｅ１）、（Ｇ１）、（Ｉ１）及び（Ｋ１）とする。また、制御装置ＣＯＮＴは、側部検出部ＳＤ４の検出領域２０については、表示領域３４、３６、３８及び４０に対応するように４つの単位領域を設定し、これらの単位領域をそれぞれ接触領域（Ｆ１）、（Ｈ１）、（Ｊ１）及び（Ｌ１）とする。
【００４２】
この状態で制御装置ＣＯＮＴは、ユーザが表示領域３１〜４０のうちいずれかの領域に接触するのを待機した状態とする。加えて、制御装置ＣＯＮＴは、ユーザが側部検出部ＳＤ１〜ＳＤ４に接触するのを待機した状態とする。
【００４３】
ユーザがタッチパネルのうち表示領域３１〜４０のいずれかに重なる領域に接触した場合、制御装置ＣＯＮＴはタッチパネル上の接触位置を検出し、当該接触位置に表示された識別表示に対応する処理を実行する。例えば、ユーザがタッチパネルのうち表示領域３１に重なる部分に接触した場合、制御装置ＣＯＮＴは当該表示領域３１に表示された処理（処理１）を行う。
【００４４】
また、ユーザが側部検出部ＳＤ１〜ＳＤ４のいずれかに接触した場合、制御装置ＣＯＮＴは、側部検出部ＳＤ１〜ＳＤ４のどこに接触したのか、接触位置を検出する。例えば接触位置が側部検出部ＳＤ１の接触領域（Ａ１）内の位置であった場合、表示部ＤＰのうち当該接触領域（Ａ１）に対応する部分に表示された処理１を行う。また、接触位置が側部検出部ＳＤ１の接触領域（Ｂ１）内の位置あった場合、表示部ＤＰのうち当該接触領域（Ｂ１）に対応する部分に表示された処理２を行う。同様に、側部検出部ＳＤ１の接触領域（Ｃ１）内に接触位置が検出された場合には、表示部ＤＰのうち接触領域（Ｃ１）に対応する部分に表示された処理３を行う。また、接触領域（Ｄ１）に接触が検出された場合には、表示部ＤＰのうち接触領域（Ｄ１）に対応する部分に表示された処理４を行う。
【００４５】
更に、側部検出部ＳＤ２に接触があった場合、接触位置が接触領域（Ｍ１）内の位置であれば処理９が行われ、接触位置が接触領域（Ｎ１）内の位置であれば処理１０が行われる。同様に、側部検出部ＳＤ３の場合、接触位置が接触領域（Ｅ１）内の位置であった場合には処理１が行われ、接触位置が接触領域（Ｇ１）内の位置であった場合には処理５が行われ、接触位置が接触領域（Ｉ１）の位置であった場合には処理７が行われ、接触位置が接触領域（Ｋ１）内の位置であった場合には処理９が行われる。
【００４６】
また、側部検出部ＳＤ４についても同様に、接触位置が接触領域（Ｆ１）内の位置であった場合には処理４が行われ、接触位置が接触領域（Ｈ１）内の位置であった場合には処理６が行われ、接触位置が接触領域（Ｊ１）内の位置であった場合には処理８が行われ、接触位置が接触領域（Ｌ１）内の位置であった場合には処理１０が行われる。
【００４７】
このように、制御装置ＣＯＮＴは、タッチパネルによる入力、側部検出部ＳＤ１〜ＳＤ４による入力、の両方に対応するように処理を行う。この場合、制御装置ＣＯＮＴは、処理１〜処理１０の識別表示を表示部ＤＰの４辺に沿った位置に表示させるようにする。制御装置ＣＯＮＴは、当該表示部ＤＰの４辺に対応する側部検出部ＳＤ１〜ＳＤ４での接触を検出した場合、各処理１〜処理１０を行う。このような動作により、ユーザに側部検出部ＳＤ１〜ＳＤ４による入力を直感的に行わせることができる。
【００４８】
また、携帯情報端末ＥＱＰの筐体ＦＬの姿勢が、例えば図６に示すように、側面Ｆｄから側面Ｆｃに向けた方向が重力方向となるように切り替わった場合、制御装置ＣＯＮＴは、表示部ＤＰの表示領域４１〜５０に識別表示を表示させるように表示を切り替える。この状態で制御装置ＣＯＮＴは、ユーザが表示領域４１〜５０のうちいずれかの領域に接触するのを待機した状態とすると共に、ユーザが側部検出部ＳＤ１〜ＳＤ４に接触するのを待機した状態とする。
【００４９】
この場合、図５に示す状態と同様に、ユーザがタッチパネルのうち表示領域４１〜５０のいずれかに重なる領域に接触した場合、制御装置ＣＯＮＴは表示部検出部５２ｂによってタッチパネル上の接触位置を検出し、当該接触位置に表示された識別表示に対応する処理を実行する。例えば、ユーザがタッチパネルのうち表示領域４１に重なる部分に接触した場合、制御装置ＣＯＮＴは当該表示領域４１に表示された処理（処理１）を行う。
【００５０】
また、ユーザが側部検出部ＳＤ１〜ＳＤ４のいずれかに接触した場合、制御装置ＣＯＮＴは、側部検出部ＳＤ１〜ＳＤ４のどこに接触したのか、接触位置を検出する。例えば接触位置が側部検出部ＳＤ４の接触領域（Ａ２）内の位置であった場合、表示部ＤＰのうち当該接触領域（Ａ２）に対応する部分に表示された処理１を行う。また、接触位置が側部検出部ＳＤ４の接触領域（Ｂ２）内の位置あった場合、表示部ＤＰのうち当該接触領域（Ｂ２）に対応する部分に表示された処理２を行う。同様に、側部検出部ＳＤ４の接触領域（Ｃ２）内に接触位置が検出された場合には、表示部ＤＰのうち接触領域（Ｃ２）に対応する部分に表示された処理３を行う。また、接触領域（Ｄ２）に接触が検出された場合には、表示部ＤＰのうち接触領域（Ｄ２）に対応する部分に表示された処理４を行う。
【００５１】
更に、側部検出部ＳＤ３に接触があった場合、接触位置が接触領域（Ｍ２）内の位置であれば処理９が行われ、接触位置が接触領域（Ｎ２）内の位置であれば処理１０が行われる。同様に、側部検出部ＳＤ１の場合、接触位置が接触領域（Ｅ２）内の位置であった場合には処理１が行われ、接触位置が接触領域（Ｇ２）内の位置であった場合には処理５が行われ、接触位置が接触領域（Ｉ２）の位置であった場合には処理７が行われ、接触位置が接触領域（Ｋ２）内の位置であった場合には処理９が行われる。
【００５２】
また、側部検出部ＳＤ２についても同様に、接触位置が接触領域（Ｆ２）内の位置であった場合には処理４が行われ、接触位置が接触領域（Ｈ２）内の位置であった場合には処理６が行われ、接触位置が接触領域（Ｊ２）内の位置であった場合には処理８が行われ、接触位置が接触領域（Ｌ２）内の位置であった場合には処理１０が行われる。
【００５３】
このように、例えば図５に示す筐体ＦＬの姿勢と図６に示す筐体ＦＬの姿勢のように、筐体ＦＬの姿勢が異なる場合には、同一の処理を行うための接触位置を表示と共に適宜切り替えることができるので、ユーザに側部検出部ＳＤ１〜ＳＤ４による入力を直感的に行わせることができる。
【００５４】
また、表示パネルが設けられる表示領域を矩形としたことにより、筐体ＦＬの姿勢を変化させたときに画像データの表示方向を切り替える場合に、表示する画像データの縦横比を変更する必要がない。これにより、表示の切り替えにかかる時間を短縮することができる。
【００５５】
また、第二接続部ＭＴを背面Ｆｆに設けたことにより、表示面には表示部ＤＰのみを設け、側面には操作部ＳＤのみを設けることができる。これにより、表示パネルが設けられる表示領域及び検出領域２０を比較的広くすることができる。
【００５６】
［撮像動作］  
上記のように構成された携帯情報端末ＥＱＰを用いてカメラモジュールＣＭを用いて撮像を行う場合の動作を説明する。上記の操作により、撮像動作に相当する動作が行われ、所定の入力信号が入力された場合、制御装置ＣＯＮＴは、カメラモジュールＣＭを起動させる。このとき、カメラモジュールＣＭに設けられたイメージセンサ６４、加速度センサ６５及びドライバ６６は、駆動電圧が等しくなるように形成されているため、同一の電圧で並列に起動させることができる。
【００５７】
カメラモジュールＣＭが作動すると、レンズ６１を介した光がイメージセンサ６４に到達する。イメージセンサ６４は、到達した光を受光し、電気信号に変換して、ドライバ６６に電気信号を送信する。ドライバ６６は、受信した電気信号に基づいて、画像データを生成し、制御装置ＣＯＮＴに出力する。制御装置ＣＯＮＴは、生成された画像データを表示部ＤＰに表示する。なお、制御装置ＣＯＮＴは、カメラモジュールＣＭによる撮像を開始するための操作ボタン等を表示部ＤＰに表示させてもよい。
【００５８】
また、加速度センサ６５は、筐体ＦＬに作用する加速度を検出し、電気信号に変換してドライバ６６に当該電気信号を送信する。ドライバ６６は、受信した電気信号に基づいて、筐体ＦＬの姿勢や変位に関する筐体関連データを生成する。ドライバ６６は、生成した筐体関連データを制御装置ＣＯＮＴに送信する。
【００５９】
この状態で、ユーザによって撮影の操作が行われると、制御装置ＣＯＮＴは、ドライバ６６から送信される画像データを記憶部に記憶させる。このとき、制御装置ＣＯＮＴは、静止画及び動画のいずれについても記憶させることが可能である。また、制御装置ＣＯＮＴ部は、記憶させた画像データを表示部ＤＰに表示させることが可能である。
【００６０】
静止画を記憶させる場合には、制御装置ＣＯＮＴは、ドライバ６６に対して、画像データを補正させる。具体的には、制御装置ＣＯＮＴは、撮影操作を行った時刻における筐体関連データを用いて、画像データを補正させる。例えばユーザが撮影の操作を行った時刻に筐体ＦＬを移動させていると、生成される画像データは筐体ＦＬの移動によってぼやけた状態となる場合がある。
【００６１】
これに対して、本実施形態では、撮影操作を行った時刻における筐体ＦＬの姿勢や変位についての筐体関連データを用いて画像データを補正することで、筐体ＦＬの移動を差し引いた状態の画像データを得ることができる。このため、画像データのぼやけを低減させることができる。
【００６２】
以上のように、本実施形態に係る携帯情報端末（電子機器）ＥＱＰは、複数の面を有する筐体ＦＬと、当該筐体ＦＬに収容され筐体ＦＬの外部を撮像するカメラモジュールＣＭと、当該カメラモジュールＣＭの一部としてカメラモジュールＣＭに一体的に設けられ、筐体ＦＬに作用する加速度を検出する加速度センサ６５とを備えるので、カメラモジュールＣＭに作用する加速度を精密に検出することができ、検出結果を撮像結果に対して用いることができる。このため、例えば手振れ補正などの処理を行うことができる。これにより、操作性に優れた携帯情報端末ＥＱＰを提供することができる。
【００６３】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００６４】
また、上記実施形態においては、側部検出部ＳＤ１〜ＳＤ４の構成として、接触によって静電容量が変化するのを検出する構成を例に挙げて説明したが、これに限られることは無く、例えば、接触によって電圧が変化するのを検出する構成（例えば、抵抗膜方式のタッチセンサ等）としても構わない。また、側部検出部ＳＤ１〜ＳＤ４の構成として、電極を設ける構成の他、例えば表面弾性波方式や赤外線方式など、電極を設けない構成であっても構わない。
【００６５】
また、上記実施形態においては、側部検出部ＳＤ１〜ＳＤ４が筐体ＦＬの側面Ｆａ〜Ｆｄのそれぞれに配置された構成を例に挙げて説明したが、これに限られることは無い。例えば、側部検出部が側面Ｆａ〜Ｆｄのうち１面以上３面以下の面に設けられている構成であっても構わない。
【００６６】
また、上記実施形態においては、表示部ＤＰの表面にタッチパネルが設けられた構成を例に挙げて説明したが、これに限られることは無く、タッチパネルが設けられない構成であっても構わない。この場合、操作部ＳＤに設けられる側部検出部ＳＤ１〜ＳＤ４を用いて操作する構成となる。この構成により、タッチパネルを設けなくても高い操作性を得ることができるため、携帯情報端末の低コスト化を図ることができる。
【００６７】
また、上記実施形態においては、側部検出部ＳＤ１〜ＳＤ４のそれぞれを複数の接触領域に区切るように制御する態様を例に挙げて説明したが、これに限られることは無い。例えば、側部検出部ＳＤ１〜ＳＤ４の複数の接触領域に区切らずに、１つの側部検出部に接触すると１つの処理を行うように設定しても構わない。
【００６８】
また、上記実施形態においては、センサにより筐体ＦＬの姿勢を検出し、検出結果に基づいて表示部ＤＰにおける表示を切り替えるように制御する態様を例に挙げて説明したが、これに限られることは無い。例えば、センサの検出結果によらず一定の表示を行うように制御しても構わない。また、センサの検出結果に基づいて表示を切り替えるモードと、検出結果によらず一定の表示を行うモードとをユーザが設定可能な態様であっても構わない。
【００６９】
また、上記実施形態においては、電極１０のうち表面側電極１０ａが側面Ｆａ〜Ｆｄのうち他の部分と面一状態になっている構成を例に挙げて説明したが、これに限られることは無い。例えば表面側電極１０ａが側面Ｆａ〜Ｆｄの他の部分よりも筐体ＦＬの内部側に配置されている構成（表面側電極１０ａが凹んだ位置に配置されている構成）であっても構わないし、表面側電極１０ａが側面Ｆａ〜Ｆｄの他の部分よりも筐体ＦＬの外部側に配置されている構成（表面側電極１０ａが突出した位置に配置されている構成）であっても構わない。
【００７０】
また、上記実施形態においては、筐体ＦＬが矩形に形成された板状の構成を例に挙げて説明したが、これに限られることは無い。例えば、筐体ＦＬが矩形や円形、三角形、多角形など、他の形状に形成された板状の構成であっても構わない。また、筐体ＦＬが球状や多角柱状、円筒状など、板状に限らず他の形状に形成された構成であっても構わない。
【００７１】
また、上記実施形態では、筐体ＦＬの姿勢や変位を検出するセンサとして、加速度センサ６５が設けられた構成を例に挙げて説明したが、これに限られることは無い。例えば、加速度センサ６５の他に、角速度を検出可能なジャイロセンサが設けられた構成であっても構わない。この場合、ジャイロセンサとして、Ｘ軸周り、Ｙ軸周り及びＺ軸周りの３軸の周り（ローリング、ヨーイング及びピッチング）の方向についての筐体ＦＬの角速度を検出可能であっても良い。この場合、検出結果はドライバ６６に送信され、ドライバ６６において筐体ＦＬの姿勢や変位などに関する筐体関連データを生成することができる。このように、加速度センサ６５の３軸と、角速度センサの３軸とを合わせた６軸の検出軸を有することにより、手振れの補正をより高精度に行うことができる。
【符号の説明】
【００７２】
ＥＱＰ…携帯情報端末  ＦＬ…筐体  ＣＭ…カメラモジュール  ＤＰ…表示部  ＳＤ…操作部  ＣＯＮＴ…制御装置  ＰＮ…表示パネル  ＴＰ…タッチパネル  Ｆｅ…表示面  Ｆａ〜Ｆｄ…側面  ＳＤ１〜ＳＤ４…側部検出部  １０…電極  １０ａ…表面側電極  １０ｂ…内部側電極  １０ｃ…誘電体  ２０…検出領域  ３１〜４０、４１〜５０…表示領域  ５１…制御部  ５２…入力部  ５２ｂ…表示部検出部  ５２ｃ…姿勢検出部  ５３…出力部  ５３ｂ…音声出力部  ６１…レンズ  ６３…基板  ６４…イメージセンサ  ６５…加速度センサ  ６６…ドライバ
【図１】
2013232722.tif 000003
【図２】
2013232722.tif 000004
【図３】
2013232722.tif 000005
【図４】
2013232722.tif 000006
【図５】
2013232722.tif 000007
【図６】
2013232722.tif 000008